(57)【要約】【課題】ＴＶ放送の快適な視聴を可能にする放送局装置および記録再生装置を提供する。【解決手段】放送局装置１００は、映像編集部１０１およびＴＳエンコーダ１０８を含む。映像編集部１０１は、ＴＶ番組の映像およびＣＭの映像を編集することにより映像信号を生成する。映像編集１０１において生成された映像信号において、ＣＭの前後に略同一のシーンが配置されている場合、ＴＳエンコーダ１０８は、ＣＭ後の上記同一のシーン（重複シーン）の情報を格納するＴＳパケットの所定のデータを操作する。記録再生装置においては、そのデータに基づき重複シーンの情報を格納するＴＳパケットが選別される。タイムシフト再生時には、重複シーンの情報を格納するＴＳパケットは復号されない。【選択図】図３
2008160396.tif 000002
【特許請求の範囲】
【請求項１】
テレビジョン放送信号を生成する放送局装置であって、
テレビジョン番組の情報およびコマーシャルの情報を編集することによりテレビジョン放送用の編集信号を生成する編集部と、
前記編集部により生成された編集信号を符号化することにより符号化信号を生成する符号化部と、
前記符号化部により生成された符号化信号をパケット化するパケット生成部と、
前記編集部により生成された編集信号において、コマーシャルの情報後の所定区間のテレビジョン番組の情報がコマーシャルの情報前のテレビジョン番組の情報と略同一である場合に、前記パケット生成部により生成されたパケットのうち前記所定区間のテレビジョン番組の情報を格納するパケットの所定のデータを操作する第１のデータ操作部とを備えることを特徴とする放送局装置。
【請求項２】
前記テレビジョン番組の情報はテレビジョン番組の映像情報を含み、前記コマーシャルの情報はコマーシャルの映像情報を含み、前記編集信号はテレビジョン番組の映像情報およびコマーシャルの映像情報が編集された映像信号を含み、
前記符号化部は、前記映像信号のエレメンタリストリームを生成するエレメンタリストリーム生成部を含み、
前記エレメンタリストリーム生成部は、前記コマーシャルの終了時点および前記所定区間の終了時点においてＧＯＰを完結させることを特徴とする請求項１記載の放送局装置。
【請求項３】
前記パケット生成部は、トランスポートストリームパケットを生成するトランスポートストリームパケット生成部を含み、
前記所定のデータは、“private_data_byte”であることを特徴とする請求項１または２記載の放送局装置。
【請求項４】
前記“private_data_byte”の値は、前記コマーシャル後の所定期間のシーンの重要度に応じて決定されることを特徴とする請求項３記載の放送局装置。
【請求項５】
前記パケット生成部は、トランスポートストリームパケットを生成するトランスポートストリームパケット生成部を含み、
前記所定のデータは、“transport_private_data_flag”であることを特徴とする請求項１または２記載の放送局装置。
【請求項６】
前記パケット生成部は、トランスポートストリームパケットを生成するトランスポートストリームパケット生成部を含み、
前記所定のデータは、“transport_priority”であることを特徴とする請求項１または２記載の放送局装置。
【請求項７】
前記パケット生成部は、パケタイズドエレメンタリストリームを生成するパケタイズドエレメンタリストリーム生成部を含み、
前記所定のデータは、“PES_priority”であることを特徴とする請求項１または２記載の放送局装置。
【請求項８】
前記パケット生成部は、パケタイズドエレメンタリストリームを生成するパケタイズドエレメンタリストリーム生成部を含み、
前記所定のデータは、“PES_private_data”であることを特徴とする請求項１または２記載の放送局装置。
【請求項９】
放送局装置により生成されたテレビジョン放送信号を記録および再生する記録再生装置であって、
前記テレビジョン放送信号は、コマーシャルの情報後の所定区間のテレビジョン番組の情報がコマーシャルの情報前のテレビジョン番組の情報と略同一である場合に、前記所定区間のテレビジョン番組の情報を格納するパケット中に予め所定の方法で操作されたデータを含み、
前記放送局装置により生成されたテレビジョン放送信号をパケットの形式で記録媒体に書き込む書き込み部と、
記録媒体に記録されたパケットの読み出しを行う読み出し部と、
前記読み出し部により読み出されたパケットから前記符号化信号を復号する第１の復号部と、
前記所定のデータに基づいて、前記テレビジョン放送信号のパケットを前記所定区間の情報を格納するパケットとそれ以外のパケットとに選別する第１の選別部とを備え、
前記第１の復号部は、前記第１の選別部により選別された前記所定区間の情報を格納するパケットからは前記符号化信号を復号しないことを特徴とする記録再生装置。
【請求項１０】
前記書き込み部は、前記放送局装置により生成されたテレビジョン放送信号をトランスポートストリームパケットの形式で記録媒体に書き込み、
前記第１の復号部は、前記読み出し部により読み出されたトランスポートストリームパケットから前記符号化信号を復号し、
前記第１の選別部は、前記所定のデータに基づいて、前記テレビジョン放送信号のトランスポートストリームパケットを前記所定区間の情報を格納するトランスポートストリームパケットとそれ以外のトランスポートストリームパケットとに選別し、
前記第１の復号部は、前記第１の選別部により選別された前記所定区間の情報を格納するトランスポートストリームパケットからは前記符号化信号を復号しないことを特徴とする請求項９記載の記録再生装置。
【請求項１１】
前記読み出し部は、前記第１の選別部により選別された前記所定区間の情報を格納するパケットを破棄することを特徴とする請求項９または１０記載の記録再生装置。
【請求項１２】
前記書き込み部は、前記第１の選別部により選別された前記所定区間の情報を格納するパケットを記録媒体に書き込まないことを特徴とする請求項９または１０記載の記録再生装置。
【請求項１３】
放送局装置により生成されたテレビジョン放送信号を記録および再生する記録再生装置であって、
前記テレビジョン放送信号は、コマーシャルの情報後の所定区間のテレビジョン番組の情報がコマーシャルの情報前のテレビジョン番組の情報と略同一である場合に、前記所定区間のテレビジョン番組の情報を格納するパケタイズドエレメンタリストリームパケット中に予め所定の方法で操作されたデータを含み、
前記放送局装置により生成されたテレビジョン放送信号をトランスポートストリームパケットの形式で記録媒体に書き込む書き込み部と、
記録媒体に記録されたトランスポートストリームパケットの読み出しを行う読み出し部と、
前記読み出し部により読み出されたトランスポートストリームパケットからパケタイズドエレメンタリストリームパケットを復号する第２の復号部と、
前記第２の復号部により復号されたパケタイズドエレメンタリストリームパケットからエレメンタリストリームを復号する第３の復号部と、
前記所定のデータに基づいて前記第３の復号部により復号されたパケタイズドエレメンタリストリームパケットを前記所定区間の情報を格納するパケタイズドエレメンタリストリームパケットとそれ以外のパケタイズドエレメンタリストリームパケットとに選別する第２の選別部とを備え、
前記第３の復号部は、前記第２の選別部により選別された前記所定区間の情報を格納するパケタイズドエレメンタリストリームパケットからはエレメンタリストリームを復号しないことを特徴とする記録再生装置。
【請求項１４】
テレビジョン放送信号を記録および再生する記録再生装置であって、
テレビジョン放送信号をパケットの形式で記録媒体に書き込む書き込み部と、
記録媒体に記録されたパケットの読み出しを行う読み出し部と、
前記読み出し部により読み出されたパケットからテレビジョン番組の映像情報およびコマーシャルの映像情報が編集された映像信号を復号する第４の復号部と、
前記第４の復号部により復号された映像信号において、コマーシャルの映像情報後の所定区間のテレビジョン番組の映像情報がコマーシャルの映像情報前のテレビジョン番組の映像情報と略同一である場合に、記録媒体に記録されたパケットのうち前記所定区間のテレビジョン番組の映像情報を格納するパケットの所定のデータを操作する第２のデータ操作部とを備え、
前記記録媒体の再生時には、前記第４の復号部は、前記データ操作部によりデータ操作されたパケットからは映像信号を復号しないことを特徴とする記録再生装置。
【請求項１５】
記録再生装置は、前記読み出し部により読み出されたパケットからテレビジョン番組の音声情報およびコマーシャルの音声情報が編集された音声信号を復号する第５の復号部をさらに備え、
前記データ操作部は、前記第４の復号部により復号された映像信号において、コマーシャルの映像情報後の所定区間のテレビジョン番組の映像情報がコマーシャルの映像情報前のテレビジョン番組の映像情報と略同一である場合に、記録媒体に記録されたパケットのうち前記所定区間のテレビジョン番組の映像情報および音声情報を格納するパケットの所定のデータを操作し、
前記記録媒体の再生時には、前記第４および第５の復号部は、前記データ操作部によりデータ操作されたパケットからは映像信号および音声信号を復号しないことを特徴とする請求項１４記載の記録再生装置。
【発明の詳細な説明】
【技術分野】
【０００１】
本発明は、テレビジョン放送信号を送出する放送局装置およびテレビジョン放送信号を記録および再生する記録再生装置に関する。
【背景技術】
【０００２】
テレビジョン（以下、ＴＶと略記する）放送をリアルタイムで視聴できない場合、視聴者は、記録再生装置（例えば、特許文献１）を用いて、ＤＶＤ（デジタルバーサタイルディスク）またはＨＤ（ハードディスク）等の記録媒体にＴＶ放送を録画する。
【０００３】
記録媒体の再生時には、視聴者は、記録再生装置の早送り機能等を用いることにより、所望のシーンのみを視聴することができる。それにより、視聴者は効率よくＴＶ放送を視聴することができる。
【０００４】
また、従来より、コマーシャル（以下、ＣＭと略記する）を自動的に早送りする機能（以下、ＣＭスキップ機能と称する）を備えた記録再生装置が開発されている。このような記録再生装置によれば、記録媒体の再生時には、視聴者は、早送り等の操作を行うことなくＴＶ番組のみを視聴することができる。それにより、視聴者はより効率よくＴＶ放送を視聴することができる。
【特許文献１】特開平９−２３１６０２号公報
【発明の開示】
【発明が解決しようとする課題】
【０００５】
ところで、近年のＴＶ放送においては、ＣＭの直前に放送したＴＶ番組のシーンを、ＣＭの直後にも放送する手法が頻繁に用いられている。これにより、ＣＭによってＴＶ番組が中断された場合にも、視聴者はＣＭの前に放送されたＴＶ番組の内容を容易に思い出すことができる。したがって、放送局は、視聴者のＴＶ番組に対する興味を低下させることなくＣＭを放送することができる。
【０００６】
しかしながら、このようなＴＶ放送が記録された記録媒体を、上記のＣＭスキップ機能を用いて再生した場合、同じシーンが続けて再生されることになる。この場合、視聴者は同じシーンを続けて視聴することになり、煩わしさを感じる。
【０００７】
本発明の目的は、ＴＶ放送の快適な視聴を可能にする放送局装置および記録再生装置を提供することである。
【課題を解決するための手段】
【０００８】
（１）第１の発明に係る放送局装置は、テレビジョン放送信号を生成する放送局装置であって、テレビジョン番組の情報およびコマーシャルの情報を編集することによりテレビジョン放送用の編集信号を生成する編集部と、編集部により生成された編集信号を符号化することにより符号化信号を生成する符号化部と、符号化部により生成された符号化信号をパケット化するパケット生成部と、編集部により生成された編集信号において、コマーシャルの情報後の所定区間のテレビジョン番組の情報がコマーシャルの情報前のテレビジョン番組の情報と略同一である場合に、パケット生成部により生成されたパケットのうち上記所定区間のテレビジョン番組の情報を格納するパケットの所定のデータを操作する第１のデータ操作部とを備えるものである。
【０００９】
この放送局装置においては、編集部によりテレビジョン番組の情報およびコマーシャルの情報が編集された編集信号が生成され、その編集信号に基づいて符号化部により符号化信号が生成される。符号化部において生成された符号化信号は、パケット生成部によりパケット化される。
【００１０】
ここで、編集部により生成された編集信号において、コマーシャルの情報後の所定区間のテレビジョン番組の情報がコマーシャルの情報前のテレビジョン番組の情報と略同一である場合には、第１のデータ操作部により、パケット生成部により生成されたパケットのうち上記所定区間のテレビジョン番組の情報を格納するパケットの所定のデータが操作される。
【００１１】
この場合、放送局がコマーシャルの前後にテレビジョン番組の略同一の内容のシーンを放送する場合には、コマーシャル後に放送される略同一の内容のシーン（以下、重複シーンと称する）の情報を格納するパケットのデータが操作される。したがって、この放送局装置により生成されたテレビジョン放送信号を記録および再生する記録再生装置においては、第１のデータ操作部により操作されたデータに基づいて、重複シーンの情報が格納されたパケットを選別することができる。
【００１２】
それにより、記録再生装置においてテレビジョン放送信号を記録媒体に記録し、その記録されたテレビジョン放送信号を後に再生する（以下、タイムシフト再生と称する）場合には、重複シーンの情報が格納されたパケットの再生を阻止することができる。この場合、視聴者は、重複シーンが削除されたテレビジョン放送を視聴することができる。その結果、快適なテレビジョン放送の視聴が可能になる。
【００１３】
（２）テレビジョン番組の情報はテレビジョン番組の映像情報を含み、コマーシャルの情報はコマーシャルの映像情報を含み、編集信号はテレビジョン番組の映像情報およびコマーシャルの映像情報が編集された映像信号を含み、符号化部は、映像信号のエレメンタリストリームを生成するエレメンタリストリーム生成部を含み、エレメンタリストリーム生成部は、コマーシャルの終了時点および所定区間の終了時点においてＧＯＰを完結させてもよい。
【００１４】
この場合、記録再生装置においてテレビジョン放送信号から重複シーンを削除する際に、重複シーンの直前のコマーシャルおよび重複シーンの直後のテレビジョン番組の映像が劣化することを防止することができる。
【００１５】
（３）パケット生成部は、トランスポートストリームパケットを生成するトランスポートストリームパケット生成部を含み、所定のデータは、“private_data_byte”であってもよい。
【００１６】
この場合、“private_data_byte”に基づいて、重複シーンの情報を格納するトランスポートパケットを選別することができる。それにより、記録再生装置において容易に重複シーンを削除することができる。
【００１７】
（４）“private_data_byte”の値は、コマーシャル後の所定期間のシーンの重要度に応じて決定されてもよい。
【００１８】
この場合、記録再生装置におけるタイムシフト再生時にも、放送局の意図が反映されたテレビジョン放送を視聴者に提供することができる。また、“private_data_byte”の値に基づいて、視聴者は重複シーンを選択的に削除することができる。それにより、視聴者はテレビジョン放送をより快適に視聴することができる。
【００１９】
（５）パケット生成部は、トランスポートストリームパケットを生成するトランスポートストリームパケット生成部を含み、所定のデータは、“transport_private_data_flag”であってもよい。
【００２０】
この場合、“transport_private_data_flag”に基づいて、重複シーンの情報を格納するトランスポートパケットを選別することができる。それにより、記録再生装置において容易に重複シーンを削除することができる。また、“transport_private_data_flag”は１ビットのデータであるので、放送局装置におけるデータ操作が容易になる。
【００２１】
（６）パケット生成部は、トランスポートストリームパケットを生成するトランスポートストリームパケット生成部を含み、所定のデータは、“transport_priority”であってもよい。
【００２２】
“transport_priority”はトランスポートストリームパケットのヘッダに格納されるデータである。したがって、記録再生装置において重複シーンが格納されるトランスポートストリームパケットを容易に選別することが可能となる。
【００２３】
（７）パケット生成部は、パケタイズドエレメンタリストリームを生成するパケタイズドエレメンタリストリーム生成部を含み、所定のデータは、“PES_priority”であってもよい。
【００２４】
この場合、“PES_priority”に基づいて、重複シーンの情報を格納するパケタイズドエレメンタリストリームパケットを選別することができる。それにより、記録再生装置において容易に重複シーンを削除することができる。
【００２５】
（８）パケット生成部は、パケタイズドエレメンタリストリームを生成するパケタイズドエレメンタリストリーム生成部を含み、所定のデータは、“PES_private_data”であってもよい。
【００２６】
この場合、“PES_private_data”に基づいて、重複シーンの情報を格納するパケタイズドエレメンタリストリームパケットを選別することができる。それにより、記録再生装置において容易に重複シーンを削除することができる。
【００２７】
（９）第２の発明に係る記録再生装置は、放送局装置により生成されたテレビジョン放送信号を記録および再生する記録再生装置であって、テレビジョン放送信号は、コマーシャルの情報後の所定区間のテレビジョン番組の情報がコマーシャルの情報前のテレビジョン番組の情報と略同一である場合に、上記所定区間のテレビジョン番組の情報を格納するパケット中に予め所定の方法で操作されたデータを含み、放送局装置により生成されたテレビジョン放送信号をパケットの形式で記録媒体に書き込む書き込み部と、記録媒体に記録されたパケットの読み出しを行う読み出し部と、読み出し部により読み出されたパケットから符号化信号を復号する第１の復号部と、所定のデータに基づいて、テレビジョン放送信号のパケットを所定区間の情報を格納するパケットとそれ以外のパケットとに選別する第１の選別部とを備え、第１の復号部は、第１の選別部により選別された所定区間の情報を格納するパケットからは符号化信号を復号しないものである。
【００２８】
この記録再生装置においては、書き込み部によりテレビジョン放送信号がパケットの形式で記録媒体に書き込まれる。記録媒体に記録されたパケットは、読み出し部により読み出される。読み出し部により読み出されたパケットは、放送局装置において操作された所定のデータに基づいて、第１の選別部により、重複シーンの情報を格納するパケットとそれ以外のパケットとに選別される。
【００２９】
ここで、第１の復号部は、第１の選別部により選別された重複シーンの情報を格納するパケットからは符号化信号を復号せず、それ以外のパケットから符号化信号を復号する。
【００３０】
この場合、第１の復号部により復号された符号化信号においては、重複シーンの情報が削除されている。したがって、視聴者は、重複シーンが削除されたテレビジョン放送を視聴することができる。その結果、快適なテレビジョン放送の視聴が可能になる。
【００３１】
（１０）書き込み部は、放送局装置により生成されたテレビジョン放送信号をトランスポートストリームパケットの形式で記録媒体に書き込み、第１の復号部は、読み出し部により読み出されたトランスポートストリームパケットから符号化信号を復号し、第１の選別部は、所定のデータに基づいて、テレビジョン放送信号のトランスポートストリームパケットを所定区間の情報を格納するトランスポートストリームパケットとそれ以外のトランスポートストリームパケットとに選別し、第１の復号部は、第１の選別部により選別された所定区間の情報を格納するトランスポートストリームパケットからは符号化信号を復号しなくてもよい。
【００３２】
この記録再生装置においては、書き込み部によりテレビジョン放送信号がトランスポートストリームパケットの形式で記録媒体に書き込まれる。記録媒体に記録されたトランスポートストリームパケットは、読み出し部により読み出される。読み出し部により読み出されたトランスポートストリームパケットは、放送局装置において操作された所定のデータに基づいて、第１の選別部により、重複シーンの情報を格納するトランスポートストリームパケットとそれ以外のトランスポートストリームパケットとに選別される。
【００３３】
ここで、第１の復号部は、第１の選別部により選別された重複シーンの情報を格納するトランスポートストリームパケットからは符号化信号を復号せず、それ以外のトランスポートストリームパケットから符号化信号を復号する。
【００３４】
この場合、第１の復号部により復号された符号化信号においては、重複シーンの情報が削除されている。したがって、視聴者は、重複シーンが削除されたテレビジョン放送を視聴することができる。その結果、快適なテレビジョン放送の視聴が可能になる。
【００３５】
（１１）読み出し部は、第１の選別部により選別された所定区間の情報を格納するパケットを破棄してもよい。この場合、テレビジョン放送信号をタイムシフト再生する際に、重複シーンを確実に除去することができる。
【００３６】
（１２）書き込み部は、第１の選別部により選別された所定区間の情報を格納するパケットを記録媒体に書き込まなくてもよい。この場合、テレビジョン放送信号をタイムシフト再生する際に、重複シーンを確実に除去することができる。
【００３７】
（１３）第３の発明に係る記録再生装置は、放送局装置により生成されたテレビジョン放送信号を記録および再生する記録再生装置であって、テレビジョン放送信号は、コマーシャルの情報後の所定区間のテレビジョン番組の情報がコマーシャルの情報前のテレビジョン番組の情報と略同一である場合に、上記所定区間のテレビジョン番組の情報を格納するパケタイズドエレメンタリストリームパケット中に予め所定の方法で操作されたデータを含み、放送局装置により生成されたテレビジョン放送信号をトランスポートストリームパケットの形式で記録媒体に書き込む書き込み部と、記録媒体に記録されたトランスポートストリームパケットの読み出しを行う読み出し部と、読み出し部により読み出されたトランスポートストリームパケットからパケタイズドエレメンタリストリームパケットを復号する第２の復号部と、第２の復号部により復号されたパケタイズドエレメンタリストリームパケットからエレメンタリストリームを復号する第３の復号部と、所定のデータに基づいて第３の復号部により復号されたパケタイズドエレメンタリストリームパケットを所定区間の情報を格納するパケタイズドエレメンタリストリームパケットとそれ以外のパケタイズドエレメンタリストリームパケットとに選別する第２の選別部とを備え、第３の復号部は、第２の選別部により選別された所定区間の情報を格納するパケタイズドエレメンタリストリームパケットからはエレメンタリストリームを復号しないものである。
【００３８】
この記録再生装置においては、書き込み部によりテレビジョン放送信号がトランスポートストリームパケットの形式で記録媒体に書き込まれる。記録媒体に記録されたトランスポートストリームパケットは、読み出し部により読み出される。第２の復号部は、読み出し部により読み出されたトランスポートストリームパケットからパケタイズドエレメンタリストリームパケットを復号する。第２の復号部により復号されたパケタイズドエレメンタリストリームパケットは、放送局装置において操作された所定のデータに基づいて、第２の選別部により、重複シーンの情報を格納するパケタイズドエレメンタリストリームパケットとそれ以外のパケタイズドエレメンタリストリームパケットとに選別される。
【００３９】
ここで、第３の復号部は、第２の選別部により選別された重複シーンの情報を格納するパケタイズドエレメンタリストリームパケットからはエレメンタリストリームを復号せず、それ以外のパケタイズドエレメンタリストリームパケットからエレメンタリストリームを復号する。
【００４０】
この場合、第２の復号部により復号されたエレメンタリストリームから復号された編集信号においては、重複シーンの情報が削除されている。したがって、視聴者は、重複シーンが削除されたテレビジョン放送を視聴することができる。その結果、快適なテレビジョン放送の視聴が可能になる。
【００４１】
（１４）第４の発明に係る記録再生装置は、テレビジョン放送信号を記録および再生する記録再生装置であって、テレビジョン放送信号をパケットの形式で記録媒体に書き込む書き込み部と、記録媒体に記録されたパケットの読み出しを行う読み出し部と、読み出し部により読み出されたパケットからテレビジョン番組の映像情報およびコマーシャルの映像情報が編集された映像信号を復号する第４の復号部と、第４の復号部により復号された映像信号において、コマーシャルの映像情報後の所定区間のテレビジョン番組の映像情報がコマーシャルの映像情報前のテレビジョン番組の映像情報と略同一である場合に、記録媒体に記録されたパケットのうち上記所定区間のテレビジョン番組の映像情報を格納するパケットの所定のデータを操作する第２のデータ操作部とを備え、記録媒体の再生時には、第４の復号部は、第２のデータ操作部によりデータ操作されたパケットからは映像信号を復号しないものである。
【００４２】
この記録再生装置においては、書き込み部によりテレビジョン放送信号がパケットの形式で記録媒体に書き込まれる。記録媒体に記録されたパケットは、読み出し部により読み出される。読み出し部により読み出されたパケットは、第４の復号部により、テレビジョン番組の映像情報およびコマーシャルの映像情報が編集された映像信号に復号される。
【００４３】
ここで、第４の復号部により復号された映像信号において、コマーシャルの映像情報後の所定区間のテレビジョン番組の映像情報がコマーシャルの映像情報前のテレビジョン番組の映像情報と略同一である場合には、第２のデータ操作部により、記録媒体に記録されたパケットのうち上記所定区間のテレビジョン番組の映像情報を格納するパケットの所定のデータが操作される。
【００４４】
記録媒体の再生時には、第４の復号部は、第２のデータ操作部によりデータ操作されたパケットからは映像信号を復号せず、それ以外のパケットから映像信号を復号する。
【００４５】
この場合、第４の復号部により復号された映像信号においては、重複シーンが削除されている。したがって、視聴者は、重複シーンが削除されたテレビジョン放送を視聴することができる。その結果、快適なテレビジョン放送の視聴が可能になる。
【００４６】
（１５）記録再生装置は、読み出し部により読み出されたパケットからテレビジョン番組の音声情報およびコマーシャルの音声情報が編集された音声信号を復号する第５の復号部をさらに備え、データ操作部は、第４の復号部により復号された映像信号において、コマーシャルの映像情報後の所定区間のテレビジョン番組の映像情報がコマーシャルの映像情報前のテレビジョン番組の映像情報と略同一である場合に、記録媒体に記録されたパケットのうち上記所定区間のテレビジョン番組の映像情報および音声情報を格納するパケットの所定のデータを操作し、記録媒体の再生時には、第４および第５の復号部は、データ操作部によりデータ操作されたパケットからは映像信号および音声信号を復号しなくてもよい。
【００４７】
この記録再生装置においては、書き込み部によりテレビジョン放送信号がパケットの形式で記録媒体に書き込まれる。記録媒体に記録されたパケットは、読み出し部により読み出される。読み出し部により読み出されたパケットは、第４の復号部により、テレビジョン番組の映像情報およびコマーシャルの映像情報が編集された映像信号に復号される。
【００４８】
ここで、第４の復号部により復号された映像信号において、コマーシャルの映像情報後の所定区間のテレビジョン番組の映像情報がコマーシャルの映像情報前のテレビジョン番組の映像情報と略同一である場合には、第２のデータ操作部により、記録媒体に記録されたパケットのうち上記所定区間のテレビジョン番組の映像情報および音声情報を格納するパケットの所定のデータが操作される。
【００４９】
記録媒体の再生時には、第４および第５の復号部は、第２のデータ操作部によりデータ操作されたパケットからは映像信号および音声信号を復号せず、それ以外のパケットから映像信号および音声信号を復号する。
【００５０】
この場合、第４および第５の復号部により復号された映像信号および音声信号においては、重複シーンが削除されている。したがって、視聴者は、重複シーンが削除されたテレビジョン放送を視聴することができる。その結果、快適なテレビジョン放送の視聴が可能になる。
【発明の効果】
【００５１】
本発明によれば、テレビジョン放送の情報を格納するパケットのうち、コマーシャルの情報が格納されたパケットの所定のデータが操作される。記録再生装置において記録媒体に記録されたテレビジョン放送信号をタイムシフト再生する場合には、所定のデータが操作されたパケットからは信号が復号されない。
【００５２】
この場合、タイムシフト再生時には、テレビジョン放送信号から重複シーンの情報が削除されている。したがって、視聴者は、重複シーンが削除されたテレビジョン放送を視聴することができる。その結果、快適なテレビジョン放送の視聴が可能になる。
【発明を実施するための最良の形態】
【００５３】
以下、図面を参照しながら本発明の実施の形態に係る放送局装置および記録再生装置を備えた送受信システムについて説明する。
【００５４】
（Ａ）第１の実施の形態
（１）送受信システムの構成
図１は、本発明の第１の実施の形態に係る放送局装置および記録再生装置を備えた送受信システムを示す概略構成図である。
【００５５】
図１に示すように、本実施の形態に係る送受信システム１０００は、放送局装置１００、記録再生装置２００、映像出力装置３００および音声出力装置４００を含む。
【００５６】
放送局装置１００は、ＭＰＥＧ（Motion Picture Experts Group）−２方式で圧縮符号化されたテレビジョン放送信号（以下、ＴＶ放送信号と略記する）を送出する。記録再生装置２００は、放送局装置１００から送出されたＴＶ放送信号を受信するとともに、そのＴＶ放送信号から映像信号および音声信号を抽出する。放送局装置１００および記録再生装置２００の詳細は後述する。
【００５７】
映像出力装置３００は、例えば、液晶ディスプレイパネルまたはプラズマディスプレイパネル等を含む。映像出力装置３００は、記録再生装置２００により抽出された映像信号に基づいて、映像を表示する。音声出力装置４００は、例えば、スピーカ等を含む。音声出力装置４００は、記録再生装置２００により抽出された音声信号に基づいて、音声を出力する。
【００５８】
（２）送受信システムの処理
次に、送受信システム１０００において送受信されるＴＶ放送信号について簡単に説明する。
【００５９】
図２は、放送局装置１００において生成されるＴＶ放送信号と記録再生装置２００から出力されるＴＶ放送信号との関係を示す図である。図２において、（ａ）は放送局装置１００において生成されるＴＶ放送信号の一例を示し、（ｂ）は記録再生装置２００において記録されたＴＶ放送信号を再生する場合に記録再生装置２００から出力されるＴＶ放送信号の一例を示す。
【００６０】
なお、シーンＡ〜シーンＥは、それぞれテレビジョン番組（以下、ＴＶ番組と略記する）のシーンを示す。また、以下の説明においては、ＴＶ放送信号を一度記録した後に再生することをタイムシフト再生と称する。
【００６１】
図２（ａ）に示すように、放送局装置１００において、コマーシャル（以下、ＣＭと略記する）のデータの前後に同一のシーンＢのデータが配置されたＴＶ放送信号が生成される。
【００６２】
リアルタイムでＴＶ放送を視聴する場合には、記録再生装置２００は、放送局装置１００から送出された図２（ａ）のＴＶ放送信号に基づく映像信号および音声信号を映像出力装置３００および音声出力装置４００に与える。したがって、視聴者は、ＣＭ前後の所定の期間において同一のシーンＢを視聴することができる。それにより、ＣＭによりＴＶ番組が中断された場合にも、ＣＭの前に放送されたＴＶ番組内容を容易に思い出すことができる。その結果、視聴者のＴＶ番組に対する興味が低下することを防止することができる。
【００６３】
一方、タイムシフト再生を行う場合、記録再生装置２００は、図２（ａ）のＴＶ放送信号を図２（ｂ）に示すように編集する。すなわち、タイムシフト再生時には、ＣＭ後に配置されるシーンＢが削除される。したがって、タイムシフト再生時には、視聴者は、ＣＭを挟んでシーンＢを２度視聴することがない。それにより、視聴者は効率よくＴＶ番組を視聴することができる。
【００６４】
なお、以下の説明においては、ＣＭ後に配置されるＣＭ前のシーンと同一のシーン（図２（ａ）においてはＣＭ後のシーンＢ）を重複シーンと称する。
【００６５】
以下、上記の処理を行うための放送局装置１００および記録再生装置２００の構成についてそれぞれ図面を参照しながら説明する。
【００６６】
（３）放送局装置
まず、放送局装置１００（図１）について説明する。
【００６７】
（３−１）構成
図３は、放送局装置１００の概略構成を示すブロック図である。また、図４は、放送局装置１００において生成される映像信号、タイムコード、ＧＯＰリフレッシュ信号、およびフラグ信号の一例を示す図である。なお、図４（ａ）において、シーンＡ〜シーンＤは、それぞれＴＶ番組のシーンを示す。タイムコード、ＧＯＰリフレッシュ信号およびフラグ信号については後述する。
【００６８】
図３に示すように、放送局装置１００は、映像編集部１０１、音声編集部１０２、解析部１０３、映像ＥＳエンコーダ１０４、音声ＥＳエンコーダ１０５、映像ＰＥＳエンコーダ１０６、音声ＰＥＳエンコーダ１０７、ＴＳエンコーダ１０８、変調部１０９および送出部１１０を含む。
【００６９】
映像編集部１０１は、ＴＶ番組の映像およびＣＭの映像を編集することにより映像信号を生成する。図４（ａ）に示す映像信号においては、ＣＭのデータの前後において同一のシーンＢのデータが配置されている。この場合、ＣＭ後に配置されるシーンＢが重複シーンとなる。映像編集部１０１は、生成した映像信号を映像ＥＳエンコーダ１０４に与える。
【００７０】
なお、この映像信号には、映像編集部１０１によりタイムコードが付与される。図４（ｂ）においては、各シーンおよびＣＭの開始時点（切り替わり時点）におけるタイムコード値が、ＴＣ１〜ＴＣ６として示されている。
【００７１】
解析部１０３には、重複シーンの開始時点および終了時点を示すタイムコード値が入力される。なお、このタイムコード値は、例えば、放送局の技術者により解析部１０３に入力される。図４の例においては、重複シーンＢの開始時点および終了時点を示すタイムコード値ＴＣ４およびＴＣ５が解析部１０３に入力される。
【００７２】
また、解析部１０３は、映像信号のタイムコード値を読み込む。そして、読み込んだタイムコード値および上記入力されたタイムコード値に基づいてＧＯＰリフレッシュ信号を映像ＥＳエンコーダ１０４に与え、フラグ信号をＴＳエンコーダ１０８に与える。
【００７３】
詳細には、ＧＯＰリフレッシュ信号は、図４に示すように、解析部１０３に入力されるタイムコード値ＴＣ４およびＴＣ５においてパルス状に立ち上がるように設定される。すなわち、ＧＯＰリフレッシュ信号は、重複シーンの開始時点および終了時点においてパルス状に立ち上がる。ＧＯＰリフレッシュ信号の詳細は後述する。
【００７４】
また、フラグ信号は、図４に示すように、解析部１０３に入力される２つのタイムコード値ＴＣ４とタイムコード値ＴＣ５との間においてハイレベルになるように設定される。すなわち、フラグ信号は、重複シーンの期間においてハイレベルになる。フラグ信号の詳細は後述する。
【００７５】
映像ＥＳエンコーダ１０４は、映像信号を符号化することにより映像のエレメンタリストリーム（以下、映像ＥＳと称する）を生成し、生成した映像ＥＳを映像ＰＥＳエンコーダ１０６に与える。
【００７６】
なお、映像ＥＳエンコーダ１０４は、映像ＥＳを生成する際に、ＧＯＰリフレッシュ信号の立ち上がりに同期してＧＯＰ（Group of Pictures）を完結させる。図４の例においては、映像ＥＳエンコーダ１０４は、ＣＭの終了時点および重複シーンＢの終了時点においてＧＯＰを完結させる。これにより、後述する記録再生部２０４により重複シーンを削除する場合に、ＣＭおよびＴＶ番組の映像が劣化することを防止することができる。
【００７７】
映像ＰＥＳエンコーダ１０６は、映像ＥＳをパケット化することにより映像のパケタイズドエレメンタリストリーム（以下、映像ＰＥＳと称する）を生成し、生成した映像ＰＥＳをＴＳエンコーダ１０８に与える。なお、各映像ＰＥＳには、例えば、１フレーム（ピクチャ）分の映像ＥＳが格納される。
【００７８】
音声編集部１０２（図３）は、ＴＶ番組の音声およびＣＭの音声を編集することにより音声信号を生成する。音声編集部１０２は、生成した音声信号を音声ＥＳエンコーダ１０５に与える。なお、映像信号と同様に、音声信号にも音声編集部１０２によりタイムコードが付与される。
【００７９】
音声ＥＳエンコーダ１０５は、音声信号を符号化することにより音声のエレメンタリストリーム（以下、音声ＥＳと称する）を生成し、生成した音声ＥＳを音声ＰＥＳエンコーダ１０７に与える。
【００８０】
音声ＰＥＳエンコーダ１０７は、音声ＥＳをパケット化することにより音声のパケタイズドエレメンタリストリーム（以下、音声ＰＥＳと称する）を生成し、生成した音声ＰＥＳをＴＳエンコーダ１０８に与える。なお、各音声ＰＥＳには、例えば、１オーディオフレーム分の音声ＥＳが格納される。
【００８１】
なお、図示していないが、ＴＳエンコーダ１０８には、映像ＰＥＳおよび音声ＰＥＳの他に、ＰＳＩ（Program Specific Information：番組特定情報）、ＳＩ（Service information：番組配列情報）およびデータ放送のデータ等がセクション形式で与えられる。
【００８２】
ＴＳエンコーダ１０８は、映像ＰＥＳ、音声ＰＥＳおよび上記のセクション形式の信号をそれぞれパケット化するとともにそれらを多重化することによりトランスポートストリーム（以下、ＴＳと略記する）を生成する。そして、生成したＴＳを変調部１０９に与える。なお、ＴＳエンコーダ１０８は、解析部１０３から与えられるフラグ信号に基づいて、ＴＳ中のデータを操作する。詳細は後述する。
【００８３】
変調部１０９は、ＴＳエンコーダ１０８から与えられたＴＳを所定の変調方式（例えば、ＱＡＭ（Quadrature Amplitude Modulation：直交振幅変調）方式）で変調する。送出部１１０は、変調部１０９により変調処理が施されたＴＳをＴＶ放送信号として送出する。
【００８４】
（３−２）ＴＳエンコーダの処理
本実施の形態においては、ＴＳエンコーダ１０８は、解析部１０３から与えられるフラグ信号（図４（ｄ）参照）に基づいて、ＴＳパケットの所定のデータを操作する。記録再生装置２００（図２）は、この操作されたデータに基づいて、重複シーンのデータ（映像ＰＥＳおよび音声ＰＥＳ）を格納するＴＳパケットと、それ以外のＴＳパケットとを選別することができる。それにより、図２で説明したように、タイムシフト再生時に重複シーンを削除することが可能となる。以下、図面を参照しつつＴＳエンコーダ１０８において生成されるＴＳについて説明する。
【００８５】
（ａ）トランスポートストリームの構造
図５は、ＴＳパケットのデータ構造を示す図である。
【００８６】
１つのＴＳパケットの長さは１８８バイトである。図５に示すように、各ＴＳパケットは、４バイトのＨｅａｄｅｒ領域および１８４バイトのＤａｔａ領域を含む。
【００８７】
Ｈｅａｄｅｒ領域は、“sync_byte”、“transport_error_indicator”、“payload_unit_start_indicator”、“transport_priority”、“ＰＩＤ（packet identifier）”、“transport_scramble_control”、“adaptation_field_control”および“continuity_counter”を含む。
【００８８】
Ｄａｔａ領域は、“adaptation_field”および“data_byte”の両方を含むか、どちらか一方のみを含む。“adaptation_field”には、時刻情報等が格納される。“data_byte”には、分割された映像ＰＥＳ、分割された音声ＰＥＳまたは分割されたセクション形式のデータ等が格納される。
【００８９】
本実施の形態においては、ＴＳエンコーダ１０８は、フラグ信号に基づいて、“adaptation_field”中のデータを操作する。したがって、重複シーンの情報を格納するＴＳパケットには“adaptation_field”が存在する。
【００９０】
なお、“adaptation_field_control”の値が“１０”の場合は、そのＴＳパケットのＤａｔａ領域は“adaptation_field”のみで構成され、“data_byte”は存在しない。
【００９１】
“adaptation_field_control”の値が“１１”の場合は，そのＴＳパケットのＤａｔａ領域は、“adaptation_field”および“data_byte”で構成される。
【００９２】
“adaptation_field_control”の値が“０１”の場合は、そのＴＳパケットのＤａｔａ領域は“data_byte”のみで構成され、“adaptation_field”は存在しない。
【００９３】
したがって、重複シーンのデータを格納するＴＳパケットにおいては、“adaptation_field_control”はＴＳエンコーダ１０８により“１０”または“１１”に設定される。
【００９４】
（ｂ）“adaptation_field”の構造
次に、“adaptation_field”の構造について説明する。
【００９５】
図６は、“adaptation_field”のデータ構造を示す図である。
【００９６】
図６に示すように、“adaptation_field”は、“adaptation_field_length”、“discontinuity_indicator”、“random_access_indicator”、“elementary_stream_priority_indicator”、“PCR_flag”、“OPCR_flag”、“splicing_point_flag”、“transport_private_data_flag”、“adaptation_field_extension_flag”、“ＰＣＲ(program_clock_reference)フィールド”、“ＯＰＣＲ(original_program_clock_reference)フィールド”、“splice_countdownフィールド”、“private_data_byteフィールド”、“adaptation_field_extentionフィールド”、および“stuffing_bytes”を含む。
【００９７】
“ＰＣＲ(program_clock_reference)フィールド”、“ＯＰＣＲ(original_program_clock_reference)フィールド”、“splice_countdownフィールド”、“private_data_byteフィールド”および“adaptation_field_extentionフィールド”の有無は、“PCR_flag”、“OPCR_flag”、“splicing_point_flag”、“transport_private_data_flag”、および“adaptation_field_extension_flag”により決定される。
【００９８】
本実施の形態においては、ＴＳパケットを選別するための情報として、“private_data_byteフィールド”が用いられる。したがって、本実施の形態においては、“transport_private_data_flag”は常に“１”に設定される。
【００９９】
図６に示すように、“private_data_byteフィールド”は“transport_private_data_length”および“private_data_byte”を含む。“transport_private_data_length”は８ビットで構成され、“private_data_byte”のバイト数を指定する。本実施の形態においては、“private_data_byte”のバイト数は１バイトに設定される。
【０１００】
（ｃ）データ操作
本実施の形態においては、ＴＳエンコーダ１０８は、フラグ信号（図４（ｄ））がハイレベルの場合、“private_data_byte”の値を“０ｘＦＦ”とする。一方、フラグ信号がローレベルの場合、“private_data_byte”の値を“０ｘ００”とする。すなわち、重複シーンのデータを格納するＴＳパケットの“private_data_byte”の値は“０ｘＦＦ”となり、それ以外のＴＳパケットの“private_data_byte”の値は“０ｘ００”となる。
【０１０１】
したがって、後述する記録再生装置２００の記録再生部２０４（図７）は、“private_data_byte”の値に基づいて、重複シーンのデータを格納するＴＳパケットと、それ以外のＴＳパケットとを選別することができる。
【０１０２】
（４）記録再生装置
次に、記録再生装置２００について説明する。
【０１０３】
（４−１）構成
図７は、記録再生装置２００の概略構成を示すブロック図である。
【０１０４】
図７に示すように、記録再生装置２００は、受信部２０１、復調部２０２、分離部２０３、記録再生部２０４、選択部２０５、ＴＳデコーダ２０６、映像ＰＥＳデコーダ２０７、音声ＰＥＳデコーダ２０８、映像ＥＳデコーダ２０９および音声ＥＳデコーダ２１０を含む。記録再生部２０４は、記録媒体２１１に接続可能に設けられている。
【０１０５】
受信部２０１は、放送局装置１００（図１）から送出されたＴＶ放送信号を受信し、受信したＴＶ放送信号を復調部２０２に与える。なお、詳細には、受信部２０１には、複数の放送局装置１００から送出される複数のＴＶ放送信号が入力される。そして、受信部２０１は、複数のＴＶ放送信号の中から１つのＴＶ放送信号を選択し、選択したＴＶ放送信号を復調部２０２に与える。
【０１０６】
復調部２０２は、ＴＶ放送信号からＴＳを復調し、復調したＴＳを分離部２０３に与える。分離部２０３は、ＴＳ中のＴＳパケットを種類別（映像、音声、データ放送用データ等）に分類する。分類部２０３は、分類したＴＳパケットのうち音声および映像等のＴＳパケットを記録再生部２０４および選択部２０５に与え、データ放送用データ等のＴＳパケットを図示しないＣＰＵ(Central processing unit：中央演算処理装置)に与える。
【０１０７】
記録再生部２０４は、ＤＶＤ（デジタルバーサタイルディスク）またはＨＤ（ハードディスク）等の記録媒体２１１に対してＴＳパケットの書き込みおよび読み出しを行う。また、記録再生部２０４は、記録媒体２１１から読み出したＴＳパケットを選択部２０５に与える。記録再生部２０４の詳細は後述する。
【０１０８】
選択部２０５は、分離部２０３から与えられたＴＳパケットおよび記録再生部２０４から与えられたＴＳパケットのうち一方を選択し、選択したＴＳパケットをＴＳデコーダ２０６に与える。
【０１０９】
なお、選択部２０５における選択は、視聴者による図示しないコントローラの操作に基づいて行われる。例えば、視聴者がリアルタイムでＴＶ放送を視聴する場合には、選択部２０５は分離部２０３から与えられたＴＳパケットを選択する。一方、視聴者がタイムシフト再生によりＴＶ放送を視聴する場合には、選択部２０５は記録再生部２０４から与えられるＴＳパケットを選択する。
【０１１０】
ＴＳデコーダ２０６は、ＴＳパケットから映像ＰＥＳおよび音声ＰＥＳを復号し、映像ＰＥＳを映像ＰＥＳデコーダ２０７に与え、音声ＰＥＳを音声ＰＥＳデコーダ２０８に与える。
【０１１１】
映像ＰＥＳデコーダ２０７は、映像ＰＥＳから映像ＥＳを復号し、復号した映像ＥＳを映像ＥＳデコーダ２０９に与える。映像ＥＳデコーダ２０９は、映像ＥＳから映像信号を復号し、復号した映像信号を図１の映像出力装置３００に与える。それにより、映像出力装置３００に映像が表示される。
【０１１２】
音声ＰＥＳデコーダ２０８は、音声ＰＥＳから音声ＥＳを復号し、復号した音声ＥＳを音声ＥＳデコーダ２１０に与える。音声ＥＳデコーダ２１０は、音声ＥＳから音声信号を復号し、復号した音声信号を図１の音声出力装置４００に与える。それにより、音声出力装置４００から音声が出力される。
【０１１３】
（４−２）記録再生部
上述したように、タイムシフト再生時には、選択部２０５は、記録再生部２０４から与えられるＴＳパケットをＴＳデコーダ２０６に与える。
【０１１４】
ここで、記録再生部２０４は、記録媒体２１１から読み出したＴＳパケットを、重複シーンのデータを格納していないＴＳパケットと重複シーンのデータを格納するＴＳパケットとに選別する。そして、記録再生部２０４は、重複シーンのデータを格納していないＴＳパケットのみを選択部２０５に与える。すなわち、重複シーンのデータを格納するＴＳパケットは記録再生部２０４において破棄される。
【０１１５】
したがって、タイムシフト再生時には、重複シーンが削除されたＴＶ放送信号（図２（ｂ）参照）が映像出力装置３００（図１）および音声出力装置４００（図１）に与えられる。それにより、視聴者は、重複シーンが削除されたＴＶ放送を視聴することができる。
【０１１６】
図８は、ＴＳパケットのＳｙｎｔａｘ（構文）を示す図であり、図９は、ＴＳ中の“adaptation_field”のＳｙｎｔａｘを示す図である。記録再生部２０４は、図８および図９に示すＳｙｎｔａｘに従ってデータを読み込み、上記の選別を行う。以下、図８および図９を参照しつつ、記録再生部２０４のＴＳパケットの選別処理について簡単に説明する。
【０１１７】
図１０は、記録再生部２０４によるＴＳパケットの選別処理を示すフローチャートである。
【０１１８】
まず、記録再生部２０４は、図８に示すＳｙｎｔａｘに従いＴＳパケットを読み込み、ＴＳパケットの“adaptation_field_control”（図８の括弧Ａで示す部分）の値が“１０”または“１１”であるか否かを判別する（ステップＳ１）。
【０１１９】
“adaptation_field_control”の値が“１０”または“１１”に設定されている場合、図８の括弧Ｂ内のＳｙｎｔａｘが示すように“adaptation_field”が存在する。したがって、記録再生部２０４は、図９に示すＳｙｎｔａｘに従い“adaptation_field”を読み込み、“private_data_byte”（図９の括弧Ｃで示す部分）の値が“０ｘＦＦ”であるか否かを判別する（ステップＳ２）。
【０１２０】
“private_data_byte”の値が“０ｘＦＦ”である場合、記録再生部２０４は、そのＴＳパケットが重複シーンのデータを格納するものであると判別し、そのＴＳパケットを破棄する（ステップＳ３）。
【０１２１】
ステップＳ１において“adaptation_field_control”の値が“１０”および“１１”でない場合、すなわち“adaptation_field_control”の値が“０１”の場合、“adaptation_field”は存在しない。したがって、記録再生部２０４は、そのＴＳパケットが重複シーンのデータを格納していないＴＳパケットであると判別し、そのＴＳパケットを選択部２０５に与える（ステップＳ４）。
【０１２２】
ステップＳ２において、“private_data_byte”の値が“０ｘＦＦ”でない場合、すなわち“private_data_byte”の値が“０ｘ００”である場合、記録再生部２０４は、そのＴＳパケットが重複シーンのデータを格納していないＴＳパケットであると判別し、ステップＳ４に進み、そのＴＳパケットを選択部２０５に与える。
【０１２３】
（５）第１の実施の形態の効果
以上のように、本実施の形態に係る送受信システム１０００においては、放送局装置１００のＴＳデコーダ１０８により、重複シーンのデータを格納するＴＳパケットの“private_data_byte”の値が“０ｘＦＦ”に設定される。
【０１２４】
また、記録再生装置２００の記録再生部２０４は、“private_data_byte”の値に基づいて、記録媒体２１１に記録されたＴＳパケットを重複シーンのデータを格納するＴＳパケットと重複シーンのデータを格納していないＴＳパケットとに選別する。そして、記録再生部２０４は、重複シーンのデータを格納していないＴＳパケットのみを選択部２０５に与える。
【０１２５】
この場合、映像出力装置３００および音声出力装置４００には、重複シーンのデータが削除されたＴＶ放送信号が与えられる。したがって、タイムシフト再生時には、視聴者は、重複シーンが削除されたＴＶ放送を視聴することができる。それにより、視聴者はＴＶ放送を快適に視聴することができる。また、ＴＶ放送を視聴するための時間を短縮することができる。
【０１２６】
また、本実施の形態においては、ＴＳパケットの“private_data_byte”の値を操作することによりＴＳパケットの選別を可能にしている。すなわち、記録再生装置２００においてＰＥＳまたはＥＳまでデコードすることなく、ＴＳパケットの選別を行うことができる。それにより、タイムシフト再生時に重複シーンを容易に削除することができる。
【０１２７】
また、本実施の形態においては、重複シーン前のＣＭの終了時点においてＧＯＰを完結させている。また、重複シーンの終了時点においてＧＯＰを完結させている。それにより、ＴＶ放送信号から重複シーンを削除する際に重複シーンの直前のＣＭおよび重複シーンの直後のＴＶ番組の映像が劣化することを防止することができる。
【０１２８】
（６）他の例
（６−１）“private_data_byte”の値の他の例
上記においては、“private_data_byte”の値を“０ｘＦＦ”および“０ｘ００”に設定したが、“private_data_byte”の値としてさらに“０ｘ８８”等の他の値を設定してもよい。
【０１２９】
例えば、ＣＭ前のシーンを短く編集したシーン（以下、編集シーンと称する）がＣＭ後に配置される場合には、編集シーンのデータを格納するＴＳパケットの“private_data_byte”の値を“０ｘ８８”に設定してもよい。そして、“private_data_byte”の値が“０ｘ８８”のＴＳパケットについては、削除するか否かを視聴者が選択できる構成を記録再生装置２００に設けてもよい。
【０１３０】
また、上記においては、重複シーンのデータを格納するＴＳパケットの“private_data_byte”の値を“０ｘＦＦ”としたが、放送局が視聴者に削除されたくない重複シーンについては、“private_data_byte”の値を“０ｘ００”、または“０ｘ８８”に設定してもよい。
【０１３１】
以上のように、“private_data_byte”の値を放送局側の意図に従って操作することにより、タイムシフト再生時にも放送局の意図が反映されたＴＶ放送を視聴者に提供することができる。また、視聴者も、重複シーンおよび編集シーンを選択的に削除することが可能となるので、ＴＶ放送をより快適に視聴することができる。
【０１３２】
（６−２）“transport_private_data_flag”の他の例
上記においては、“transport_private_data_flag”（図６参照）を常に“１”に設定しているが、“transport_private_data_flag”が“０”に設定されてもよい。例えば、重複シーンのデータを格納するＴＳパケットの“transport_private_data_flag”を‘１’とし、それ以外のＴＳパケットの“transport_private_data_flag”を“０”としてもよい。
【０１３３】
この場合、記録再生部２０４（図７）は、“transport_private_data_flag”に基づいてＴＳパケットの選別を行うことができる。それにより、タイムシフト再生時に重複シーンをさらに容易に削除することが可能となる。
【０１３４】
（６−３）“transport_priority”を用いた例
上記においては、“adaptation_field”を用いた例について説明したが、“transport_priority”を用いてＴＳパケットの選別を行ってもよい。例えば、重複シーンのデータを格納するＴＳパケットの“transport_priority”を“１”とし、それ以外のＴＳパケットの“transport_priority”を‘０’としてもよい。
【０１３５】
この場合、記録再生部２０４（図７）は、“transport_priority”に基づいてＴＳパケットの選別を行うことができる。すなわち、記録再生部２０４は、ＴＳパケットのＤａｔａ領域（図５）を読み込むことなく、Ｈｅｄｅｒ領域（図５）のみを読み込むことによりＴＳパケットの選別を行うことができる。したがって、タイムシフト再生時に重複シーンをさらに容易に削除することが可能となる。
【０１３６】
（６−４）記録再生部の他の例
上記においては、記録再生部２０４（図７）は記録媒体２１１からＴＳパケットを読み込む際にＴＳパケットの選別を行っているが、記録媒体２１１にＴＳパケットを書き込む際にＴＳパケットの選別を行ってもよい。この場合、重複シーンのデータを格納していないＴＳパケットのみを記録媒体２１１に記録することが可能となる。それにより、記録媒体２１１の使用領域を低減することができる。
【０１３７】
（６−５）ＰＥＳ中のデータを用いた例
上記においては、ＴＳパケット中のデータを用いて重複シーンの削除を行う例について説明したが、ＰＥＳパケット中の“PES_priority”または“PES_private_data”等を用いて重複シーンの削除を行ってもよい。
【０１３８】
なお、この場合、解析部１０３において生成されるフラグ信号は映像ＰＥＳエンコーダ１０６および音声ＰＥＳエンコーダ１０７に与えられる。そして、映像ＰＥＳエンコーダ１０６および音声ＰＥＳエンコーダ１０７において、重複シーンのデータが格納されるＰＥＳパケットの“PES_priority”または“PES_private_data”が操作される。
【０１３９】
また、この場合、記録再生部２０４はＴＳパケットの選別を行わず、映像ＰＥＳデコーダ２０７（図７）および音声ＰＥＳデコーダ２０８（図７）が“PES_priority”または“PES_private_data”等に基づいてＰＥＳパケットの選別を行う。
【０１４０】
（Ｂ）第２の実施の形態
（１）送受信システムの構成
第２の実施の形態に係る送受信システムが図１の送受信システム１０００と異なるのは以下の点である。
【０１４１】
図１１は、第２の実施の形態に係る記録再生装置２００の概略構成を示すブロック図である。図１１に示すように、本実施の形態に係る記録再生装置２００は、重複シーン検出部２１２をさらに含む。なお、本実施の形態においては、記録再生部２０４は、ＴＳパケットおよびＰＥＳパケットのデータ読み込み機能を備えているものとする。
【０１４２】
また、本実施の形態においては、ＴＳに対して第１の実施の形態で説明したデータ操作は行われていない。したがって、受信部２０１には通常のＴＳが入力される。また、記録再生部２０４は、第１の実施の形態で説明した選別処理とは異なる処理を行う。
【０１４３】
（２）記録再生装置の処理
以下、記録再生装置２００において行われる処理について説明する。なお、以下に説明する処理はＴＶ放送信号の記録（録画）時に行われる。
【０１４４】
記録再生部２０４は、分離部２０３から与えられたＴＳパケットを記録媒体２１１に記録するとともに選択部２０５に与える。なお、このとき、記録再生部２０４は、ＴＳパケットの“transport_priority”（図５参照）を“０”にして記録媒体２１１に記録する。
【０１４５】
記録再生部２０４から選択部２０５に与えられたＴＳパケットは、ＴＳデコーダ２０６および映像ＰＥＳデコーダ２０７を介して映像ＥＳとして映像ＥＳデコーダ２０９に与えられる。
【０１４６】
映像ＥＳデコーダ２０９は、映像ＥＳから映像信号を復号し、復号した映像信号を重複シーン検出部２１２に与える。また、映像ＥＳデコーダ２０９は、映像ＰＥＳデコーダ２０７によりＰＥＳパケットから抽出されたＰＴＳ（Presentation Time Stamp）と映像信号により生成される各フレームとの関係を表す情報を重複シーン検出部２１２に与える。
【０１４７】
重複シーン検出部２１２は、映像信号に基づいて複数のフレームを生成し、それら複数のフレームに基づいて重複シーンを検出する。
【０１４８】
重複シーン検出部２１２における重複シーンの検出方法としては、例えば、内蔵する５つの記憶部（以下、第１〜第５の記憶部と称する）に、映像信号に基づいて生成されるフレームを１分間分（１８００フレーム）ずつ記憶させる。そして、各記憶部のフレームのデータを他の４つの記憶部のフレームのデータと比較する。異なる記憶部間で同一のフレーム群がある場合、重複シーン検出部２１２は、表示時間の遅い方のフレーム群を重複シーンとして検出する。
【０１４９】
例えば、第２の記憶部に記憶された１分間分のフレームのうちの１２００番目から１８００番目までのフレームのデータと、第５の記憶部に記憶された１分間分のフレームのうちの１００番目から７００番目までのフレームのデータがそれぞれ等しい場合、重複シーン検出部２１２は、第５の記憶部の１００番目から７００番目までのフレーム群を重複シーンとして検出する。なお、フレーム同士の比較においては、例えば、フレームデータの差分を検出することにより同一か否かを判別することができる。
【０１５０】
重複シーン検出部２１２は、重複シーンを検出した場合、重複シーンを構成する複数のフレームにそれぞれ対応するＰＴＳを記録再生部２０４に与える。記録再生部２０４は、重複シーン検出部２１２からＰＴＳが与えられた場合、記録媒体に記録されているＴＳパケットを再度読み出す。そして、与えられたＰＴＳを格納するＰＥＳパケットのデータが格納されたＴＳパケットの“transport_priority”（図５参照）を“１”に変更した後、再度全てのＴＳパケットを記録媒体２１１に書き込む。
【０１５１】
タイムシフト再生時には、記録再生部２０４は、記録媒体２１１から読み出したＴＳパケットのうち、“transport_priority”が“１”に設定されているＴＳパケットのみを選択部２０５に与える。したがって、タイムシフト再生時には、視聴者は、重複シーンが削除されたＴＶ放送を視聴することができる。
【０１５２】
（３）第２の実施の形態の効果
本実施の形態においては、重複シーン検出部２１２により重複シーンが検出される。そして、重複シーンが検出された場合には、記録再生部２０４により、記録媒体２１１に記録されるＴＳパケットのうち、重複シーンのデータを格納するＴＳパケットの“transport_priority”が“１”に変更される。
【０１５３】
そして、タイムシフト再生時には、記録再生部２０４は、“transport_priority”に基づいて、重複シーンのデータを格納していないＴＳパケットのみを選択部２０５に与える。
【０１５４】
この場合、映像出力装置３００および音声出力装置４００には、重複シーンのデータが削除されたＴＶ放送信号が与えられる。したがって、タイムシフト再生時には、視聴者は、重複シーンが削除されたＴＶ放送を視聴することができる。それにより、視聴者はＴＶ放送を快適に視聴することができる。また、ＴＶ放送を視聴するための時間を短縮することができる。
【０１５５】
また、本実施の形態においては、重複シーン検出部２１２において重複シーンを検出しているので、ＴＳに対して重複シーンを識別するための特別な処理を放送局において施す必要がない。したがって、放送局の運用コストが増加しない。
【０１５６】
なお、本実施の形態においては、ＴＶ放送信号の記録時に上記の処理を行う例について説明したが、例えば、深夜等の記録再生装置２００が使用されていないときに上記の処理を行ってもよい。
【０１５７】
この場合、記録再生部２０４は、分離部２０３から与えられたＴＳパケットを記録媒体２１１に記録する際に、そのＴＳパケットを選択部２０５には与えない。そして、記録再生部２０４は、例えば、深夜の所定の時間になったときに記録媒体２１１からＴＳパケットを読み出し、そのＴＳパケットを選択部２０５に与える。その後、重複シーン検出部２１２および記録再生部２０４において上記説明した処理が行われる。それにより、視聴者は、重複シーンが削除されたＴＶ放送を視聴することができる。
【０１５８】
（４）他の例
（４−１）重複シーンの検出時期の他の例
上記においては、記録媒体２１１にＴＶ放送信号を記録する際に重複シーンの検出を行う場合について説明したが、例えば、深夜等の記録再生装置２００（図１１）が使用されていないときに重複シーンの検出を行ってもよい。
【０１５９】
この場合、記録再生部２０４（図１１）は、分離部２０３から与えられたＴＳパケットを記録媒体２１１に記録する際に、そのＴＳパケットを選択部２０５には与えない。そして、記録再生部２０４は、例えば、深夜の所定の時間になったときに記録媒体２１１からＴＳパケットを読み出し、そのＴＳパケットを選択部２０５に与える。その後、重複シーン検出部２１２および記録再生部２０４において上記説明した処理が行われる。それにより、視聴者は、重複シーンが削除されたＴＶ放送を視聴することができる。
【０１６０】
（４−２）記録再生部の他の例
上記においては、重複シーンが検出された場合には、記録再生部２０４は、重複シーンのデータを格納するＴＳパケットの“transport_priority”を“１”に変更し、記録媒体２１１に再度そのＴＳパケットを記録しているが、重複シーンのデータを格納するＴＳパケットを破棄してもよい。この場合、記録媒体２１１の使用領域を低減することができる。
【０１６１】
（Ｃ）請求項の各構成要素と実施の形態の各要素との対応
以下、請求項の各構成要素と実施の形態の各要素との対応の例について説明するが、本発明は下記の例に限定されない。
【０１６２】
上記実施の形態では、映像編集部１０１および音声編集部１０２が編集部の例であり、映像ＥＳエンコーダ１０４および音声ＥＳエンコーダ１０５が符号化部の例であり、映像ＰＥＳエンコーダ１０６、音声ＰＥＳエンコーダ１０７およびＴＳエンコーダ１０８がパケット生成部の例であり、映像ＰＥＳエンコーダ１０６および音声ＰＥＳエンコーダ１０７、またはＴＳエンコーダ１０８が第１のデータ操作部の例であり、記録再生部２０４が書き込み部および読み出し部の例であり、ＴＳデコーダ２０６、映像ＰＥＳデコーダ２０７および音声ＰＥＳデコーダ２０８が第１の復号部の例であり、記録再生部２０４または映像ＰＥＳデコーダ２０７および音声ＰＥＳデコーダ２０８が第１の選別部の例であり、ＴＳデコーダ２０６が第２の復号部の例であり、映像ＰＥＳデコーダ２０７および音声ＰＥＳデコーダ２０８が第３の復号部の例であり、映像ＰＥＳデコーダ２０７および音声ＰＥＳデコーダ２０８が第２の選別部の例であり、映像ＥＳデコーダ２０９が第４の復号部の例であり、重複シーン検出部２１２および記録再生部２０４が第２のデータ操作部の例であり、音声ＥＳデコーダ２１０が第５の復号部の例である。
【０１６３】
請求項の各構成要素として、請求項に記載されている構成または機能を有する他の種々の要素を用いることもできる。
【産業上の利用可能性】
【０１６４】
本発明は、ＴＶ放送信号を生成する放送局の装置、ＴＶ放送信号を受信するテレビジョン受像機等の記録再生装置ならびにＤＶＤ、ハードディスク等の記録媒体の記録および再生を行う記録再生装置等に利用することができる。
【図面の簡単な説明】
【０１６５】
【図１】第１の実施の形態に係る放送局装置および記録再生装置を備えた送受信システムを示す概略構成図
【図２】放送局装置において生成されるＴＶ放送信号と記録再生装置から出力されるＴＶ放送信号との関係を示す図
【図３】放送局装置の概略構成を示すブロック図
【図４】放送局装置において生成される映像信号、タイムコード、ＧＯＰリフレッシュ信号、およびフラグ信号の一例を示す図
【図５】ＴＳパケットのデータ構造を示す図
【図６】“adaptation_field”のデータ構造を示す図
【図７】記録再生装置の概略構成を示すブロック図
【図８】ＴＳパケットのＳｙｎｔａｘを示す図
【図９】“adaptation_field”のＳｙｎｔａｘを示す図
【図１０】記録再生部によるＴＳパケットの選別処理を示すフローチャート
【図１１】第２の実施の形態に係る記録再生装置の概略構成を示すブロック図
【符号の説明】
【０１６６】
１００    放送局装置
２００    記録再生装置
３００    映像出力装置
４００    音声出力装置
１０００    送受信システム
【図１】
2008160396.tif 000003
【図２】
2008160396.tif 000004
【図３】
2008160396.tif 000005
【図４】
2008160396.tif 000006
【図５】
2008160396.tif 000007
【図６】
2008160396.tif 000008
【図７】
2008160396.tif 000009
【図８】
2008160396.tif 000010
【図９】
2008160396.tif 000011
【図１０】
2008160396.tif 000012
【図１１】
2008160396.tif 000013